(57)【要約】【課題】装置を大型化しなくても、弁の開閉動作が安定し、液面制御の信頼性が向上するボールタップ等を提供する。【解決手段】ボールタップ１は、その側方部分に給液口が形成されると共に、その下方部分に排液口１２が形成される給液部と、排液口１２の下方に配置される弁体２０と、排液口１２を囲うように給液部に接続され、弁体２０を収納し、その下方部分に吐出口３１が形成される吐液部と、液面の上下変動を伝えるフロート機構と、フロート機構に接続され、液面の上下変動に応じて弁体による排液口１２の開閉を制御するレバー機構５０とを備える。弁体２０は、排液口１２を開閉するように構成される弁本体２１と、排液口１２から吐出口３１にかけて通過する液体の流れを水平方向に偏向させる偏向手段として機能する脚部２２ａ（傾斜部２４ａ）を有する。従って、吐出される液体による液面の波打ちが抑制される。【選択図】  図５
2019044819.tif 000002
【特許請求の範囲】
【請求項１】
ボールタップであって、
その上流部分に給液口が形成されると共に、その下流部分に排液口が形成される給液部と、
前記排液口の下方に配置される弁体と、
前記排液口を囲うように前記給液部に接続され、前記弁体を収納し、その下方部分に吐出口が形成される吐液部と、
液面の上下変動を伝えるフロート機構と、
前記フロート機構に接続され、液面の上下変動に応じて前記弁体による前記排液口の開閉を制御するレバー機構とを備え、
前記弁体は、前記排液口を開閉するように構成される弁本体と、前記排液口から前記吐出口にかけて通過する液体の流れを水平方向に偏向させる偏向手段とを有する、ボールタップ。
【請求項２】
前記偏向手段は、板状に形成され、前記弁本体に接続されると共に下方に延びる脚部を含み、
前記脚部は、その下方において前記弁体の中心軸からみて周方向に傾斜した傾斜部を有する、請求項１記載のボールタップ。
【請求項３】
前記脚部は、一対設けられ、
一対の前記脚部は、それぞれ、平面視における前記弁体の中心を含む垂直方向の第１の仮想平面上に整列するように対向して配置されると共に前記吐液部の内側寸法に応じた寸法関係に設定され、
前記傾斜部は、前記周方向の一方方向側に傾斜する、請求項２記載のボールタップ。
【請求項４】
更に、一対の前記脚部の間において、平面視における弁体の中心を含み前記第１の仮想平面に交差する第２の仮想平面の水平形成方向に伸びるように設けられ、前記レバー機構を覆うカバー部を備える、請求項３記載のボールタップ。
【請求項５】
前記カバー部は、前記第１の仮想平面で分けられた領域の一方側に形成される第１の部分と、前記第１の仮想平面で分けられた領域の他方側に形成される第２の部分とから構成され、
前記第１の部分は、前記一方方向側に第１側壁を有し、
前記第２の部分は、前記一方方向側に第２側壁を有し、
前記偏向手段は、前記第１の部分が有する前記第１側壁の下方において前記一方方向側に突出するように設けられる第１突出部と、
前記第２の部分が有する前記第２側壁の下方において前記一方方向側に突出するように設けられる第２突出部とを含む、請求項４記載のボールタップ。
【請求項６】
前記偏向手段は、前記弁本体に接続され下方に延びると共に前記吐液部の内側寸法に応じた寸法関係に設定される脚部を含み、
前記脚部は、外方において斜めの切り込みが設けられている、請求項１記載のボールタップ。
【請求項７】
前記偏向手段は、前記弁本体に接続され下方に延びると共に前記吐液部の内側寸法に応じた寸法関係に設定される脚部と、
前記脚部の下端に接続され、複数枚のブレードを備えるプロペラ形状の防波板とを含む、請求項１記載のボールタップ。
【請求項８】
ボールタップの下方に設けられる吐出口側において上下に移動自在に収納され、液面の上下変動に応じて前記ボールタップの弁座との係合状態が変化し、供給する液体の量を調節するための弁体であって、
前記弁本体と、
前記弁本体に沿って上方から下方にかけて通過する前記液体の流れを水平方向に偏向させる偏向手段とを有する、弁体。
【発明の詳細な説明】
【技術分野】
【０００１】
この発明はボールタップ及び弁体に関し、特に液体槽内の液位等を制御するために使用されるボールタップ及びこれに用いられる弁体に関するものである。
【背景技術】
【０００２】
図２３は、従来のボールタップを備える水槽を示す概略断面図であり、図２４は、図２３で示したボールタップの閉弁時の内部構造を示す概略拡大断面図であり、図２５は、図２４で示した弁体の拡大斜視図であり、図２６は、図２５で示した弁体を各方向から見た図であり、（ａ）は、図２５で示した矢印ＸＸＶＩ（ａ）方向視したときの弁体の平面図であり、（ｂ）は、図２５で示した矢印ＸＸＶＩ（ｂ）方向視したときの弁体の側面図であり、（ｃ）は、図２５で示した矢印ＸＸＶＩ（ｃ）方向視したときの弁体の底面図である。
【０００３】
これらの図を参照して、ボールタップ１０１は、水槽１１６の内部に設置され、給水管１１８に接続される給水部１１０と、給水部１１０の下方に接続され、その下方に吐出口１３１が形成される吐水部１３０と、水面１１７の上下変動を伝えるフロート機構１４０と、フロート機構１４０に接続され、水面１１７の上下変動に応じて吐水量を制御するレバー機構１５０とを備える。
【０００４】
給水部１１０は、その側方部分に給水管１１８に接続される給水口１１１が形成されると共に、その下方部分に弁座１３２を介して排水口１１２が形成される。
【０００５】
吐水部１３０は、排水口１１２を囲うように給水部１１０に接続され、弁体１２０を収納する。
【０００６】
弁体１２０は、排水口１１２の下方に配置され、上下に摺動自在に設置され、弁座１３２に係合するように構成される。又、弁体１２０は、弁本体１２１と脚部１２２とを備える。
【０００７】
フロート機構１４０は、レバー機構１５０に接続されたロッド１４１と、ロッド１４１の先端に接続されたフロート１４２とから構成される。フロート１４２は図２３で示した水槽１１６内の水面１１７に浮いている。
【０００８】
レバー機構１５０は、いわゆる単式のものであり、その中央部分において弁体１２０の弁本体１２１の下方部分と当接するように配置され、これにより水面１１７に応じて弁体１２０の上下移動を制御する。
【０００９】
レバー機構１５０に接続されたロッド１４１は、フロート１４２に接続されている。フロート１４２は図２３で示した水槽１１６内の水面１１７に浮いている。
【００１０】
使用に際して、図２３で示した水槽１１６において、水位の変動に伴って、フロート１４２が上下に変動する。これにより、上下に変動したフロート１４２の浮力が、フロート１４２に接続されたロッド１４１を通して、レバー機構１５０に伝わり、更にレバー機構１５０から弁本体１２１に伝達されることで、弁体１２０が上下に摺動することになる。従って、弁本体１２１と弁座１３２との係合状態が変化するので、ボールタップ１０１が開弁又は閉弁することになる。
【００１１】
ここで、ボールタップ１０１の閉弁状態から開弁状態に移る過程について具体的に説明する。
【００１２】
図２３を参照して、水位が下降変動して水面１１７が下降したとき、フロート１４２は下降する。これにより、フロート１４２に接続されたロッド１４１が下降する。そして、一方端においてロッド１４１に接続されたレバー機構１５０が、吐水部１３０と接続された他方端を回動中心として下方に回動する。レバー機構１５０の回動と共に弁体１２０が下降する。これにより、弁体１２０が、係合状態にあった弁座１３２から下方へ離れることになる。従って、ボールタップ１０１が開弁状態となり、給水管１１８から給水口１１１に入った水は、弁座１３２を介して吐出口１３１から吐出され、水槽１１６に給水される。
【００１３】
尚、上述の開弁状態の後、水位が上昇し、水面１１７の上昇に伴って、フロート１４２が規定位置まで上がると、上述の逆の過程を経て、ボールタップ１０１は図２４で示した閉弁状態となり、水槽１１６への給水が停止する。
【先行技術文献】
【特許文献】
【００１４】
【特許文献１】特開２０１５−００４１６１号公報
【発明の概要】
【発明が解決しようとする課題】
【００１５】
図２７は、図２３で示したボールタップの使用状態を示す概略断面図である。
【００１６】
同図を参照して、水槽１１６内に設置されたボールタップ１０１は、開弁状態であり、水槽１１６に給水している。ボールタップ１０１の吐出口１３１は、水面１１７の上方に位置しているので、吐出口１３１から吐出された水は水面１１７に対して直接給水される。そのため、勢いよく給水が行われた場合には、水槽１１６内の水面１１７に波立ちが生じ、フロート１４２が矢印の方向に変動を繰り返し、実線で示した状態から、上方のフロート１４２ａの位置と、下方のフロート１４２ｂの位置の間で変動を繰り返すことになる。通常ならフロート１４２が規定位置まで上がると、ボールタップ１０１は閉弁状態となり、止水する。しかし、フロート１４２が上下変動を繰り返すため、ボールタップ１０１は閉弁状態と開弁状態とを繰り返し、いわゆるシャクリ現象を起こすことになり、動作が安定しない場合があった。
【００１７】
従って、ボールタップはなかなか止水せず、ボールタップからの吐出が断続的となると共に、断続的な騒音を発する等の不都合を起こすことが多かった。場合によっては、断続的な吐出の周期と水槽内の水の変動とが共振を起こすことによって波立ちが更に増幅される現象が発生することがあった。このような現象が起きたとき、ボールタップからの吐出が騒音の原因となったり、水槽に大きな振動が発生したり、ボールタップの止水位置が設計値と大きく異なったり、あるいは給水配管系に水撃を発生させて給水配管系にダメージを与えたりする等といった不具合が生じることがあった。更に、ボールタップの開閉動作の回数が多くなり、シートパッキンの寿命を短くしていた。この過度な開閉動作によって、シートパッキンと当接する弁座は摩耗し、閉弁時にあっても、水漏れしてしまうこともあった。
【００１８】
これに対して、特許文献１では、弁箱の吐出口に防波板を設けることが提案されているが、防波板の設置空間の分、装置が大型化してしまうことが課題となる。
【００１９】
この発明は、上記のような課題を解決するためになされたもので、装置を大型化しなくても、弁の開閉動作が安定し、液面制御の信頼性が向上するボールタップ等を提供することを目的とする。
【課題を解決するための手段】
【００２０】
上記の目的を達成するために、請求項１記載の発明は、ボールタップであって、その上流部分に給液口が形成されると共に、その下流部分に排液口が形成される給液部と、排液口の下方に配置される弁体と、排液口を囲うように給液部に接続され、弁体を収納し、その下方部分に吐出口が形成される吐液部と、液面の上下変動を伝えるフロート機構と、フロート機構に接続され、液面の上下変動に応じて弁体による排液口の開閉を制御するレバー機構とを備え、弁体は、排液口を開閉するように構成される弁本体と、排液口から吐出口にかけて通過する液体の流れを水平方向に偏向させる偏向手段とを有するものである。
【００２１】
このように構成すると、吐出される液体による液面の波打ちが抑制される。
【００２２】
請求項２記載の発明は、請求項１記載の発明の構成において、偏向手段は、板状に形成され、弁本体に接続されると共に下方に延びる脚部を含み、脚部は、その下方において弁体の中心軸からみて周方向に傾斜した傾斜部を有するものである。
【００２３】
このように構成すると、傾斜部によって液体の流れが偏向される。
【００２４】
請求項３記載の発明は、請求項２記載の発明の構成において、脚部は、一対設けられ、一対の脚部は、それぞれ、平面視における弁体の中心を含む垂直方向の第１の仮想平面上に整列するように対向して配置されると共に吐液部の内側寸法に応じた寸法関係に設定され、傾斜部は、周方向の一方方向側に傾斜するものである。
【００２５】
このように構成すると、一対の脚部のそれぞれの傾斜部によって液体の流れが互いに逆向きに偏向される。
【００２６】
請求項４記載の発明は、請求項３記載の発明の構成において、更に、一対の脚部の間において、平面視における弁体の中心を含み第１の仮想平面に交差する第２の仮想平面の水平形成方向に伸びるように設けられ、レバー機構を覆うカバー部を備えるものである。
【００２７】
このように構成すると、吐液時にレバー機構に衝突して液体が飛散することを抑制できる。
【００２８】
請求項５記載の発明は、請求項４記載の発明の構成において、カバー部は、第１の仮想平面で分けられた領域の一方側に形成される第１の部分と、第１の仮想平面で分けられた領域の他方側に形成される第２の部分とから構成され、第１の部分は、一方方向側に第１側壁を有し、第２の部分は、一方方向側に第２側壁を有し、偏向手段は、第１の部分が有する第１側壁の下方において一方方向側に突出するように設けられる第１突出部と、第２の部分が有する第２側壁の下方において一方方向側に突出するように設けられる第２突出部とを含むものである。
【００２９】
このように構成すると、吐液時にレバー機構の側面に液体が衝突することを防ぐと共に第１突出部及び第２突出部によって液体が偏向される。
【００３０】
請求項６記載の発明は、請求項１記載の発明の構成において、偏向手段は、弁本体に接続され下方に延びると共に吐液部の内側寸法に応じた寸法関係に設定される脚部を含み、脚部は、外方において斜めの切り込みが設けられているものである。
【００３１】
このように構成すると、脚部の外方の切り込みにより液体の流れが偏向される。
【００３２】
請求項７記載の発明は、請求項１記載の発明の構成において、偏向手段は、弁本体に接続され下方に延びると共に吐液部の内側寸法に応じた寸法関係に設定される脚部と、脚部の下端に接続され、複数枚のブレードを備えるプロペラ形状の防波板とを含むものである。
【００３３】
このように構成すると、防波板によって液体の流れが偏向される。
【００３４】
請求項８記載の発明は、ボールタップの下方に設けられる吐出口側において上下に移動自在に収納され、液面の上下変動に応じてボールタップの弁座との係合状態が変化し、供給する液体の量を調節するための弁体であって、弁本体と、弁本体に沿って上方から下方にかけて通過する液体の流れを水平方向に偏向させる偏向手段とを有するものである。
【００３５】
このように構成すると、ボールタップに組み込まれた際、吐出される液体による液面の波打ちが抑制される。
【発明の効果】
【００３６】
以上説明したように、請求項１記載の発明は、吐出される液体による液面の波打ちが抑制されるので、弁体の開閉動作が安定し、液面制御の信頼性が向上する。
【００３７】
請求項２記載の発明は、請求項１記載の発明の効果に加えて、傾斜部によって液体の流れが偏向されるので、傾斜部の傾斜度合に応じて波打ちの抑制効果を調整できる。
【００３８】
請求項３記載の発明は、請求項２記載の発明の効果に加えて、一対の脚部のそれぞれの傾斜部によって液体の流れが互いに逆向きに偏向されるので、波打ちの抑制効果がより向上する。
【００３９】
請求項４記載の発明は、請求項３記載の発明の効果に加えて、吐液時にレバー機構に衝突して液体が飛散することを抑制できるので、波打ちの抑制効果がより向上する。
【００４０】
請求項５記載の発明は、請求項４記載の発明の効果に加えて、吐液時にレバー機構の側面に液体が衝突することを防ぐと共に第１突出部及び第２突出部によって液体が偏向されるので、吐液時におけるレバー機構の安定性が向上すると共に、波打ちの抑制効果が更に向上する。
【００４１】
請求項６記載の発明は、請求項１記載の発明の効果に加えて、脚部の外方の切り込みにより液体の流れが偏向されるので、波打ちの抑制効果を調整できる。
【００４２】
請求項７記載の発明は、請求項１記載の発明の効果に加えて、防波板によって液体の流れが偏向されるので、波打ちの抑制効果を調整できる。
【００４３】
請求項８記載の発明は、ボールタップに組み込まれた際、吐出される液体による液面の波打ちが抑制されるので、弁体の開閉動作が安定し、液面制御の信頼性が向上する。
【図面の簡単な説明】
【００４４】
【図１】この発明の第１の実施の形態によるボールタップを備える水槽を示す概略断面図である。
【図２】図１で示したボールタップの閉弁時の内部構造を示す概略拡大断面図である。
【図３】図２で示した弁体の拡大斜視図である。
【図４】図３で示した弁体を各方向から見た図であり、（ａ）は、図３で示した矢印ＩＶ（ａ）方向視したときの弁体の平面図であり、（ｂ）は、図３で示した矢印ＩＶ（ｂ）方向視したときの弁体の側面図であり、（ｃ）は、図３で示した矢印ＩＶ（ｃ）方向視したときの弁体の他の側面図である。
【図５】弁体の納まりを示す部分断面図である。
【図６】この発明の第２の実施の形態による弁体の拡大斜視図であり、図３に対応した図である。
【図７】図６で示した弁体を各方向から見た図であり、図４に対応した図であり、（ａ）は、図６で示した矢印ＶＩＩ（ａ）方向視したときの弁体の平面図であり、（ｂ）は、図６で示した矢印ＶＩＩ（ｂ）方向視したときの弁体の側面図であり、（ｃ）は、図６で示した矢印ＶＩＩ（ｃ）方向視したときの弁体の他の側面図である。
【図８】この発明の第３の実施の形態による弁体の拡大斜視図であり、図６に対応した図である。
【図９】図８で示した弁体を各方向から見た図であり、図７に対応した図であり、（ａ）は、図８で示した矢印ＩＸ（ａ）方向視したときの弁体の平面図であり、（ｂ）は、図８で示した矢印ＩＸ（ｂ）方向視したときの弁体の側面図であり、（ｃ）は、図８で示した矢印ＩＸ（ｃ）方向視したときの弁体の他の側面図である。
【図１０】この発明の第４の実施の形態による弁体の拡大斜視図であり、図３に対応した図である。
【図１１】図１０で示した弁体を各方向から見た図であり、図４に対応した図であり、（ａ）は、図１０で示した矢印ＸＩ（ａ）方向視したときの弁体の平面図であり、（ｂ）は、図１０で示した矢印ＸＩ（ｂ）方向視したときの弁体の側面図であり、（ｃ）は、図１０で示した矢印ＸＩ（ｃ）方向視したときの弁体の他の側面図であり、（ｄ）は、図１０で示した矢印ＸＩ（ｄ）方向視したときの弁体の底面図である。
【図１２】この発明の第５の実施の形態による弁体の拡大斜視図であり、図６に対応した図である。
【図１３】図１２で示した弁体を各方向から見た図であり、図７に対応した図であり、（ａ）は、図１２で示した矢印ＸＩＩＩ（ａ）方向視したときの弁体の平面図であり、（ｂ）は、図１２で示した矢印ＸＩＩＩ（ｂ）方向視したときの弁体の側面図であり、（ｃ）は、図１２で示した矢印ＸＩＩＩ（ｃ）方向視したときの弁体の他の側面図である。
【図１４】この発明の第６の実施の形態による弁体の拡大斜視図であり、図６に対応した図であり、（ａ）は、上方斜視図であり、（ｂ）は、下方斜視図である。
【図１５】図１４で示した弁体を各方向から見た図であり、図７に対応した図であり、（ａ）は、図１４で示した矢印ＸＩＩＩ（ａ）方向視したときの弁体の平面図であり、（ｂ）は、図１４で示した矢印ＸＩＩＩ（ｂ）方向視したときの弁体の側面図であり、（ｃ）は、図１４で示した矢印ＸＩＩＩ（ｃ）方向視したときの弁体の他の側面図である。
【図１６】この発明の第７の実施の形態による弁体の拡大斜視図であり、図６に対応した図であり、（ａ）は、上方斜視図であり、（ｂ）は、下方斜視図である。
【図１７】この発明の第８の実施の形態による弁体の拡大斜視図であり、図１６に対応した図であり、（ａ）は、上方斜視図であり、（ｂ）は、下方斜視図である。
【図１８】図１７で示した弁体を各方向から見た図であり、（ａ）は、図１７で示した矢印ＸＶＩＩＩ（ａ）方向視したときの弁体の平面図であり、（ｂ）は、図１７で示した矢印ＸＶＩＩＩ（ｂ）方向視したときの弁体の側面図である。
【図１９】この発明の第９の実施の形態による弁体の拡大斜視図であり、図１６に対応した図であり、（ａ）は、上方斜視図であり、（ｂ）は、下方斜視図である。
【図２０】図１９で示した弁体を各方向から見た図であり、（ａ）は、図１９で示した矢印ＸＸ（ａ）方向視したときの弁体の平面図であり、（ｂ）は、図１９で示した矢印ＸＸ（ｂ）方向視したときの弁体の側面図である。
【図２１】この発明の第１０の実施の形態による弁体の拡大斜視図であり、図６に対応した図であり、（ａ）は、上方斜視図であり、（ｂ）は、下方斜視図である。
【図２２】図２１で示した弁体を各方向から見た図であり、（ａ）は、図２１で示した矢印ＸＸＩＩ（ａ）方向視したときの弁体の平面図であり、（ｂ）は、図２１で示した矢印ＸＸＩＩ（ｂ）方向視したときの弁体の側面図である。
【図２３】従来のボールタップを備える水槽を示す概略断面図である。
【図２４】図２３で示したボールタップの閉弁時の内部構造を示す概略拡大断面図である。
【図２５】図２４で示した弁体の拡大斜視図である。
【図２６】図２５で示した弁体を各方向から見た図であり、（ａ）は、図２５で示した矢印ＸＸＶＩ（ａ）方向視したときの弁体の平面図であり、（ｂ）は、図２５で示した矢印ＸＸＶＩ（ｂ）方向視したときの弁体の側面図であり、（ｃ）は、図２５で示した矢印ＸＸＶＩ（ｃ）方向視したときの弁体の底面図である。
【図２７】図２３で示したボールタップの使用状態を示す概略断面図である。
【発明を実施するための形態】
【００４５】
図１は、この発明の第１の実施の形態によるボールタップを備える水槽を示す概略断面図である。図２は、図１で示したボールタップの閉弁時の内部構造を示す概略拡大断面図である。図３は、図２で示した弁体の拡大斜視図であり、図４は、図３で示した弁体を各方向から見た図であり、（ａ）は、図３で示した矢印ＩＶ（ａ）方向視したときの弁体の平面図であり、（ｂ）は、図３で示した矢印ＩＶ（ｂ）方向視したときの弁体の側面図であり、（ｃ）は、図３で示した矢印ＩＶ（ｃ）方向視したときの弁体の他の側面図である。
【００４６】
これらの図を参照して、ボールタップ１は、水槽１６の内部に設置され、鋳鋼、鋳鉄、青銅鋳物、樹脂等で製作され、筒形状を有し、その上流部分である側方部分に給水管１８に接続される給液口１１が形成されると共に、その下流部分である下方部分に弁座３２を介して排液口１２が形成される給液部１０と、排液口１２の下方に配置される弁体２０と、排液口１２を囲うように給液部１０に接続され、弁体２０を収納し、その下方部分に吐出口３１が形成される吐液部３０と、液面１７の上下変動を伝えるフロート機構４０と、フロート機構４０に接続され、液面１７の上下変動に応じて弁体２０による排液口１２の開閉を制御するレバー機構５０とを備える。
【００４７】
フロート機構４０は、レバー機構５０のレバー５１に接続されたロッド４１と、ロッド４１の先端に接続されたフロート４２とから構成される。フロート４２は図１で示した水槽１６内の液面１７に浮いている。
【００４８】
レバー機構５０は、いわゆる複式のものであり、その一方端において、フロート機構４０のロッド４１と接続され、他方端において、給液部１０の排液口１２側において回動自在に接続されたレバー５１と、レバー５１の中央部に回動自在に連結された連結部材５２と、その一方端において、連結部材５２の下方において回動自在に連結され、その他方端において、吐液部３０と回動自在に接続されたレバー５３とからなる。レバー５３はその中央部において弁体２０の弁本体２１の下方部分に当接するように配置されている。
【００４９】
弁体２０は、ボールタップ１の下方に設けられる吐出口３１側において上下に移動自在に収納され、液面１７の上下変動に応じてボールタップ１の弁座３２との係合状態が変化し、供給する液体の量を調節するためのものである。
【００５０】
又、弁体２０は、その上部にシートパッキン２６が取り付けられ、排液口１２を開閉するように構成される弁本体２１と、板状に形成され、弁本体２１に接続されると共に下方に延び、平面視における弁体の中心を含む第１の仮想平面Ｌ１上に整列するようにして配置される一対の脚部２２ａ、２２ｂと、一対の脚部２２ａ、２２ｂの間において、第１の仮想平面に直交する第２の仮想平面Ｌ２の水平形成方向に伸びるように設けられ、レバー機構５０のレバー５３を覆うカバー部２３とを備える。
【００５１】
弁体２０は、弁本体２１に取り付けられたシートパッキン２６を介して弁座３２と当接するように配置されている。
【００５２】
一対の脚部２２ａ、２２ｂは、より詳細には、それぞれ、吐液部３０の内側寸法に応じた寸法関係に設定されており、その下方において傾斜部２４ａ、２４ｂを有する。
【００５３】
又、傾斜部２４ａ、２４ｂは、それぞれ弁体２０の中心軸からみて周方向の一方方向側（図４の（ａ）にて矢印Ａ１で示す側）に傾斜するように形成されている。
【００５４】
カバー部２３は、レバー機構５０に対して吐液の上流方向を覆うように構成されており、具体的には、第１の仮想平面Ｌ１で分けられた領域の一方側Ｌ１１に形成される第１の部分２３ａと、第１の仮想平面Ｌ１で分けられた領域の他方側Ｌ１２に形成される第２の部分２３ｂとから構成される。
【００５５】
第１の部分２３ａは、矢印Ａ１で示す周方向側に第１側壁２５ａを有し、第１側壁２５ａは、その下方において矢印Ａ１で示す周方向側に突出する第１突出部２７ａを備える。第２の部分２３ｂも、第１の部分２３ａの場合と同様、矢印Ａ１で示す周方向側に第２側壁２５ｂを有し、第２側壁２５ｂは、その下方において矢印Ａ１で示す周方向側に突出する第２突出部２７ｂを備える。
【００５６】
尚、弁体２０は、その下方において連結部２９によって連結されている。
【００５７】
以上のように構成すると、弁体２０が備える一対の脚部２２ａ、２２ｂの傾斜部２４ａ、２４ｂと、カバー部２３の第１の部分２３ａの第１突出部２７ａ、第２の部分の２３ｂの第２突出部２７ｂとが、排液口１２から吐出口３１にかけて通過する液体の流れを水平方向（周方向の一方方向側）に偏向させる偏向手段として機能する。以下において、ボールタップの開閉の仕組みについて説明すると共に、その詳細について説明する。
【００５８】
図５は、弁体の納まりを示す部分断面図である。
【００５９】
同図に合わせて図１及び図４を参照して、使用に際して、図１で示した水槽１６において、水位の変動に伴って、フロート４２が上下に変動する。これにより、上下に変動したフロート４２の浮力が、フロート４２に接続されたロッド４１を通して、レバー機構５０に伝わり、更にレバー機構５０から弁体２０に伝達されることで、弁体２０が上下に摺動することになる。従って、弁体２０の弁本体２１と弁座３２との係合状態が変化するので、ボールタップ１が開弁又は閉弁することになる。
【００６０】
ここで、ボールタップ１の閉弁状態から開弁状態に移る過程について具体的に説明する。
【００６１】
再び図１〜図５を参照して、液位が下降変動して液面１７が下降したとき、フロート４２は下降する。これにより、フロート４２に接続されたロッド４１が下降する。そして、ロッド４１に接続されたレバー機構５０のレバー５１が、給液部１０と接続されたレバー５１の他方端を回動中心として下方に回動する。次に、レバー５１に接続された連結部材５２が下降する。連結部材５２に接続されたレバー５３が、吐液部３０と接続されたレバー５３の他方端を回動中心として下方に回動する。更に、レバー５３が下方に回動するのに伴って弁体２０が下降する。最終的に、弁体２０の弁本体２１が、係合状態にあった弁座３２から下方へ離れることになる。すると、図５に示すような、ボールタップ１の開弁状態となり、給水管１８から給液口１１に入った液体は、矢印Ｆ１に示すように排液口１２を経て、弁座３２及び弁本体２１の間から流出し、（矢印Ｆ２１、Ｆ３１）、弁本体２１の上方から下方にかけて通過し、吐出口３１から吐出され、水槽１６に給水される。
【００６２】
ここで、弁体２０が、排液口１２から吐出口３１にかけて通過する液体の流れを水平方向に偏向させる偏向手段として機能するため、ボールタップからの吐液は、吐出口３１の内面に沿って流れながら拡散することにより図１に示すように略円錐状となり、吐出される液体による液面の波打ちが抑制される。これにより、弁体の開閉動作が安定し、液面制御の信頼性が向上する。
【００６３】
具体的には、排液口１２から吐出口３１にかけて下方に向かう液体の一部が、脚部２２ａの傾斜部２４ａによって液体の流れが矢印Ｆ２２に示すように偏向され、傾斜部２４ａによって、吐液は吐出口の内面に沿って流れながら拡散する。このため、吐出口３１からの液体の吐液時に液面に勢いよく落下して液面を波立たせる作用が減少する。よって、傾斜部２４ａの傾斜度合に応じて波打ちの抑制効果を調整できる。脚部２２ｂの傾斜部２４ｂについても同様である。
【００６４】
又、図４も参照して、一対の脚部２２ａ、２２ｂのそれぞれの傾斜部２４ａ、２４ｂによって液体の流れが互いに逆向き（言い換えれば、矢印Ａ１に示す同一周方向）に偏向されるので、波打ちの抑制効果がより向上する。
【００６５】
又、再び図５を参照して、カバー部２３の第２の部分２３ｂにより、吐液時、液体の流れを矢印Ｆ３２に示すように整えることができ、レバー機構５０のレバー５３に衝突して液体が飛散することを抑制できる。特に、吐液部３０においてレバー機構５０を貫通される穴部分から、二点鎖線の矢印Ｆ４０に示すように吐液の一部が勢いよく飛び出し、吐液が、水槽外部に飛び散るような現象を抑制することができる。これにより、波打ちの抑制効果がより向上する。
【００６６】
又、第２の部分２３ｂの第２壁２５ｂにより、吐液時にレバー機構５０のレバー５３の側面に液体が衝突することを防ぐと共に第２突出部２７ｂによって液体が矢印Ｆ３３に示すように偏向される。
【００６７】
よって、吐液時におけるレバー機構５０の安定性が向上すると共に、波打ちの抑制効果が更に向上する。第１の部分２３ａについても同様である。
【００６８】
このため、図４も参照して、第１突出部２７ａ及び第２突出部２７ｂによって、それぞれ液体の流れが互いに逆向きに偏向されるので、波打ちの抑制効果がより向上する。
【００６９】
更に言えば、液体の流れが傾斜部２４ａ、傾斜部２４ｂ、第１突出部２７ａ、第２突出部２７ｂによって矢印Ａ１に示す周方向の一方方向側に偏向される一方で、吐液によって、弁体２０には軸中心の回転に関して矢印Ａ１に示す周方向とは逆の方向側に付勢力が働く状態となる。このため、吐液時の弁体２０の振動が抑制される。
【００７０】
更に別の観点から言えば、傾斜部２４ａと傾斜部２４ｂとでは液体の流れが互いに逆向きに偏向され、第１突出部２７ａと第２突出部２７ｂとでは液体の流れが互いに逆向きに偏向されるため、吐出された液体が互いに干渉することなく満遍なく散らばる。よって、吐液が液面を叩いて波立たせる作用が減少し、吐出される液体による液面の波打ちが抑制される。
【００７１】
以上に説明した構成により、コンパクトな弁体でありながら、弁体と吐液部との間で十分な摺動面が確保された安定動作が可能であり、更に追加部品を必要とすることなく波立ち防止効果を発揮することができる。
【００７２】
図６は、この発明の第２の実施の形態による弁体の拡大斜視図であり、図３に対応した図であり、図７は、図６で示した弁体を各方向から見た図であり、図４に対応した図であり、（ａ）は、図６で示した矢印ＶＩＩ（ａ）方向視したときの弁体の平面図であり、（ｂ）は、図６で示した矢印ＶＩＩ（ｂ）方向視したときの弁体の側面図であり、（ｃ）は、図６で示した矢印ＶＩＩ（ｃ）方向視したときの弁体の他の側面図である。
【００７３】
尚、この実施の形態による弁体６１は、基本的に第１の実施の形態による弁体２０と同一であるため、その相違点を中心に説明する。又、以下で説明する弁体６１は、第１の実施の形態によるボールタップ１に組み込むことができる。以下の実施の形態について同様である。
【００７４】
これらの図を参照して、弁体６１は、４つの脚部２２ａ、２２ｂ、２２ｃ、２２ｄを備える。
【００７５】
すなわち、弁体６１は、弁体２０において、カバー部２３及び連結部２９を一対の脚部２２ｃ、２２ｃに置き換えた構成を備える。
【００７６】
一対の脚部２２ｃ、２２ｄは、それぞれ、第２の仮想平面Ｌ２上に整列するように対向して配置されると共に吐液部の内側寸法に応じた寸法関係に設定されており、その下方において傾斜部２４ｃ、２４ｄを有する。
【００７７】
又、傾斜部２４ａ、２４ｂは、それぞれ、先細り形状を有し、周方向の一方方向側（矢印Ａ１で示す側）に傾斜するように形成されている。一対の脚部２２ｃ、２２ｄそれぞれの傾斜部２４ａ、２４ｂは偏向手段として機能する。
【００７８】
以上のように、弁体６１では、４つの脚部２２ａ、２２ｂ、２２ｃ、２２ｄが平面視において４回回転対称となるように構成されている。これにより、各脚部における液体の偏向が均一化される。
【００７９】
図８は、この発明の第３の実施の形態による弁体の拡大斜視図であり、図６に対応した図であり、図９は、図８で示した弁体を各方向から見た図であり、図７に対応した図であり、（ａ）は、図８で示した矢印ＩＸ（ａ）方向視したときの弁体の平面図であり、（ｂ）は、図８で示した矢印ＩＸ（ｂ）方向視したときの弁体の側面図であり、（ｃ）は、図８で示した矢印ＩＸ（ｃ）方向視したときの弁体の他の側面図である。
【００８０】
尚、この実施の形態による弁体６２は、基本的に第２の実施の形態による弁体６１と同一であるため、その相違点を中心に説明する。
【００８１】
これらの図を参照して、弁体６２は、４つの脚部２２ａ、２２ｂ、２２ｃ、２２ｄそれぞれが、突出部７１ａ、７１ｂ、７１ｃ、７１ｄを備える。
【００８２】
すなわち、弁体６２は、弁体６１において傾斜部２４ａ、２４ｂ、２４ｃ、２４ｄを、突出部７１ａ、７１ｂ、７１ｃ、７１ｄに置き換えた構成を備える。
【００８３】
このように構成すると、４つの脚部２２ａ、２２ｂ、２２ｃ、２２ｄそれぞれの突出部７１ａ、７１ｂ、７１ｃ、７１ｄは偏向手段として機能する。よって、このような構成でも、第２の実施の形態による弁体６１と同様の効果を得ることができる。
【００８４】
図１０は、この発明の第４の実施の形態による弁体の拡大斜視図であり、図３に対応した図であり、図１１は、図１０で示した弁体を各方向から見た図であり、図４に対応した図であり、（ａ）は、図１０で示した矢印ＸＩ（ａ）方向視したときの弁体の平面図であり、（ｂ）は、図１０で示した矢印ＸＩ（ｂ）方向視したときの弁体の側面図であり、（ｃ）は、図１０で示した矢印ＸＩ（ｃ）方向視したときの弁体の他の側面図であり、（ｄ）は、図１０で示した矢印ＸＩ（ｄ）方向視したときの弁体の底面図である。
【００８５】
尚、この実施の形態による弁体６３は、基本的に第１の実施の形態による弁体２０と同一であるため、その相違点を中心に説明する。
【００８６】
これらの図を参照して、弁体６３は、弁体２０において、一対の脚部２２ａ、２２ｂの傾斜部２４ａ、２４ｂを、内方に屈曲する屈曲部７２ａ、屈曲部７２ｂに置き換えると共に、カバー部２３の第１の部分２３ａ、第２の部分２３ｂを、それぞれ、突出部７５ａ、７５ｂに置き換えた構成を備える。尚、連結部２９は、屈曲部７２ａ、７２ｂそれぞれの下端同士を連結する。
【００８７】
屈曲部７２ａには、その下端において傾斜突出部７３ａ、７４ａが設けられ、屈曲部７２ｂには、その下端において傾斜突出部７３ｂ、７４ｂが設けられている。傾斜突出部７３ａ、７４ａ、傾斜突出部７３ｂ、７４ｂは、第２の仮想平面Ｌ２の水平形成方向に沿って延びるように設けられ、周方向の一方方向側（矢印Ａ１で示す側）に傾斜した傾斜面が形成されている。
【００８８】
突出部７５ａ、７５ｂは、第２の仮想平面Ｌ２上に整列するように対向して配置されると共に吐液部の内側寸法に応じた突出寸法に設定されている。
【００８９】
以上に示したように、弁体６３は、板状に形成され、弁本体２１に接続され下方に延びる一対の脚部２２ａ、２２ｂを備える。一対の脚部２２ａ、２２ｂは、それぞれ、平面視における弁体６３の中心を含む第１の仮想平面Ｌ１上に整列するように対向して配置されると共に吐液部の内側寸法に応じた寸法関係に設定される。又、一対の脚部２２ａ及び脚部２２ｂは、それぞれ、その下端において吐液部の内側寸法に応じた寸法関係に設定され、平面視における弁体６３の中心を含み第１の仮想平面Ｌ１に直交する第２の仮想平面Ｌ２の水平形成方向に沿って伸びるように設けられると共に弁体６３の中心軸からみた周方向の一方方向側に傾斜した傾斜面が形成された傾斜突出部７３ａ、７４ａ及び傾斜突出部７３ｂ、７４ｂを有する構成である。
【００９０】
このように構成すると、傾斜突出部７３ａ、７３ｂ、７４ａ、７４ｂは、偏向手段として機能する。又、弁体６３は、その開閉動作時、吐液部の内側において、一対の脚部２２ａ、２２ｂ、傾斜突出部７３ａ、７４ａ、傾斜突出部７３ｂ、７４ｂ、突出部７５ａ、７５ｂの外方端が摺動する。つまり、弁体６３の開閉動作時には、屈曲部７２ａ、７２ｂにおいて、吐液部の内側とは非接触となるため、上述した弁体２０と比べて摩擦抵抗を低減できる。又、弁体６３の上方は、一対の脚部２２ａ、２２ｂ、突出部７５ａ、７５ｂによって支持される一方で、下方は、傾斜突出部７３ｂ、７４ｂによって支持された状態で弁体の収納部分において弁体が案内される。よって、傾斜突起部の突出度合に応じて波打ちの抑制効果を調整できると共に弁体の収納部分における弁体の動作が安定し、摺動時の動作の安定化を図ることができる。
【００９１】
又、突出部７５ａ、７５ｂによってレバー機構が部分的にカバーされるため、レバー機構に吐液がぶつかることによる液の飛び散りが少ない。更に、部品製作に要する素材量を低減することができる。
【００９２】
図１２は、この発明の第５の実施の形態による弁体の拡大斜視図であり、図６に対応した図であり、図１３は、図１２で示した弁体を各方向から見た図であり、図７に対応した図であり、（ａ）は、図１２で示した矢印ＸＩＩＩ（ａ）方向視したときの弁体の平面図であり、（ｂ）は、図１２で示した矢印ＸＩＩＩ（ｂ）方向視したときの弁体の側面図であり、（ｃ）は、図１２で示した矢印ＸＩＩＩ（ｃ）方向視したときの弁体の他の側面図である。
【００９３】
尚、この実施の形態による弁体６４は、基本的に第２の実施の形態による弁体６１と同一であるため、その相違点を中心に説明する。
【００９４】
これらの図を参照して、弁体６４は、弁体６１において、４つの脚部２２ａ、２２ｂ、２２ｃ、２２ｄのそれぞれがその外方において上方傾斜突出部７６ａ、７６ｂ、７６ｃ、７６ｄ、下方傾斜突出部７７ａ、７７ｂ、７７ｃ、７７ｄを有する。
【００９５】
このように構成すると、弁本体６４の上方から下方にかけて通過する液体は、まず上方傾斜突出部７６ａ、７６ｂ、７６ｃ、７６ｄによって水平方向に偏向される。
【００９６】
又、液体が弁体６４の下方に行くに従って、例えば、上方傾斜突出部７６ａと、下方傾斜突出部７７ａとによって形成される溝に案内される。尚、他の上方傾斜突出部７６ｂ、７６ｃ、７６ｄ、下方傾斜突出部７７ｂ、７７ｃ、７７ｄについても同様である。
【００９７】
よって、上方傾斜突出部７６ａ、７６ｂ、７６ｃ、７６ｄ、下方傾斜突出部７７ａ、７７ｂ、７７ｃ、７７ｄが偏向手段として機能するので、旋回流れが発生し、これによる波打ちの抑制効果が得られる。
【００９８】
図１４は、この発明の第６の実施の形態による弁体の拡大斜視図であり、図６に対応した図であり、（ａ）は、上方斜視図であり、（ｂ）は、下方斜視図であり、図１５は、図１４で示した弁体を各方向から見た図であり、図７に対応した図であり、（ａ）は、図１４で示した矢印ＸＩＩＩ（ａ）方向視したときの弁体の平面図であり、（ｂ）は、図１４で示した矢印ＸＩＩＩ（ｂ）方向視したときの弁体の側面図であり、（ｃ）は、図１４で示した矢印ＸＩＩＩ（ｃ）方向視したときの弁体の他の側面図である。
【００９９】
尚、この実施の形態による弁体６５は、基本的に第２の実施の形態による弁体６１と同一であるため、その相違点を中心に説明する。
【０１００】
これらの図を参照して、弁体６５は、弁体６１において、４つの脚部２２ａ、２２ｂ、２２ｃ、２２ｄのそれぞれを、弁体６５の中心軸に沿って、らせん状にねじれてなるねじれ形状を有する脚部７８ａ、７８ｂ、７８ｃ、７８ｄに置き換えた構成を有する。
【０１０１】
尚、脚部７８ａ、７８ｂ、７８ｃ、７８ｄの下方部分は連結部２９によって連結される。
【０１０２】
以上に示したように、弁体６５は、弁本体２１に接続され下方に延びると共に吐液部の内側寸法に応じた寸法関係に設定される脚部７８ａ、７８ｂ、７８ｃ、７８ｄを備える。
【０１０３】
脚部７８ａ、７８ｂ、７８ｃ、７８ｄは、それぞれ、ねじれ形状を有しており、偏向手段として機能する。
【０１０４】
このように構成すると、弁本体６５の上方から下方にかけて通過する液体は、各脚部によって吐出口に至るまで旋回させられる。
【０１０５】
よって、吐出口に至るまでに旋回流れとなった液体は、吐出口内面に沿って流れながら拡散し、吐出時には更に拡散して略円錐状の吐液となる。これにより、波打ちの抑制効果が得られる。
【０１０６】
図１６は、この発明の第７の実施の形態による弁体の拡大斜視図であり、図６に対応した図であり、（ａ）は、上方斜視図であり、（ｂ）は、下方斜視図である。
【０１０７】
尚、この実施の形態による弁体６６は、基本的に第２の実施の形態による弁体６１と同一であるため、その相違点を中心に説明する。
【０１０８】
同図を参照して、弁体６６は、弁体６１において、４つの脚部２２ａ、２２ｂ、２２ｃ、２２ｄの下方部分に防波板８０を設けた構成を有する。
【０１０９】
防波板８０は、水平状態に配置された円形状の中央部分８０ａと、中央部分８０ａの外方端に対して放射状に接続され、外縁が平面視において円弧形状を有すると共に傾斜が設けられた羽根部分８０ｂとを備えたものである。
【０１１０】
このように構成すると、弁本体６６の上方から下方にかけて通過する液体は、羽根部分８０ｂに設けられた傾斜によって旋回させられる。
【０１１１】
このように、防波板８０が偏向手段として機能して旋回流れが発生し、これによる波打ちの抑制効果が得られる。
【０１１２】
図１７は、この発明の第８の実施の形態による弁体の拡大斜視図であり、図１６に対応した図であり、（ａ）は、上方斜視図であり、（ｂ）は、下方斜視図であり、図１８は、図１７で示した弁体を各方向から見た図であり、（ａ）は、図１７で示した矢印ＸＶＩＩＩ（ａ）方向視したときの弁体の平面図であり、（ｂ）は、図１７で示した矢印ＸＶＩＩＩ（ｂ）方向視したときの弁体の側面図である。
【０１１３】
尚、この実施の形態による弁体６７は、基本的に第７の実施の形態による弁体６６と同一であるため、その相違点を中心に説明する。
【０１１４】
これらの図を参照して、弁体６７は、弁体６６において、防波板８０に替えて、防波板８２を取り付けた構成である。
【０１１５】
具体的には、弁体６７は、弁体６６において、４つの脚部２２ａ、２２ｂ、２２ｃ、２２ｄの下方部分を連結部８１により相互に連結し、連結部８１の中央部に対し、ねじ８３によって、防波板８２を取り付けた構成を有する。
【０１１６】
防波板８２は、例えば、ステンレス鋼板からなる１枚の円板を曲げ加工することにより形成され、所定の捻じり角を有するプロペラ形状に形成された６枚の羽根部分を備える。
【０１１７】
このように構成すると、防波板８２が偏向手段として機能する。又、例えば、防波板８２を所望のものに換装することで、旋回流れの方向等を調整できる。
【０１１８】
図１９は、この発明の第９の実施の形態による弁体の拡大斜視図であり、図１６に対応した図であり、（ａ）は、上方斜視図であり、（ｂ）は、下方斜視図であり、図２０は、図１９で示した弁体を各方向から見た図であり、（ａ）は、図１９で示した矢印ＸＸ（ａ）方向視したときの弁体の平面図であり、（ｂ）は、図１９で示した矢印ＸＸ（ｂ）方向視したときの弁体の側面図である。
【０１１９】
尚、この実施の形態による弁体６８は、基本的に第７の実施の形態による弁体６６と同一であるため、その相違点を中心に説明する。
【０１２０】
これらの図を参照して、弁体６８は、弁体６６において、防波板８０に替えて、環状部８４を設けた構成である。
【０１２１】
具体的には、弁体６８は、弁体６６において、４つの脚部２２ａ、２２ｂ、２２ｃ、２２ｄの下方部分を環状部８４により相互に連結した構成を有する。
【０１２２】
環状部８４は、円環形状を有し、弁本体２１よりも一回り大きい寸法に設定されており、その内方には、傾斜した螺旋状の溝部８５が設けられている。これにより、弁本体６８の上方から下方にかけて通過する液体は、環状部８４の内方を通過し、その際、溝部８５によって旋回させられる。
【０１２３】
以上に示したように、弁体６８は、弁本体２１に接続され下方に延びると共に吐液部の内側寸法に応じた寸法関係に設定される脚部２２ａ、２２ｂ、２２ｃ、２２ｄと、脚部２２ａ、２２ｂ、２２ｃ、２２ｄの下端に接続され、円環形状を有する環状部８４とを備える。又、環状部８４は、その内方に傾斜した溝部８５を有する。
【０１２４】
よって、環状部８４の溝部８５が偏向手段として機能して旋回流れが発生し、これによる波打ちの抑制効果が得られる。又、一方で、脚部２２ａ、２２ｂ、２２ｃ、２２ｄ及び環状部８４の外方が吐液部の内側に沿って摺動する構造となるため、例えば、第１の実施の形態の弁体２０よりも摺動面積を増大させることができ、弁体の開閉動作の安定化を図ることができる。
【０１２５】
図２１は、この発明の第１０の実施の形態による弁体の拡大斜視図であり、図６に対応した図であり、（ａ）は、上方斜視図であり、（ｂ）は、下方斜視図であり、図２２は、図２１で示した弁体を各方向から見た図であり、（ａ）は、図２１で示した矢印ＸＸＩＩ（ａ）方向視したときの弁体の平面図であり、（ｂ）は、図２１で示した矢印ＸＸＩＩ（ｂ）方向視したときの弁体の側面図である。
【０１２６】
尚、この実施の形態による弁体６９は、基本的に第２の実施の形態による弁体６１と同一であるため、その相違点を中心に説明する。
【０１２７】
これらの図を参照して、弁体６９は、弁体６１において、４つの脚部２２ａ、２２ｂ、２２ｃ、２２ｄを、それぞれ、脚部８６ａ、８６ｂ、８６ｃ、８６ｄに置換すると共に、弁本体２１の側面において突起部８７ａ、８７ｂ、８７ｃ、８７ｄを設けた構成である。
【０１２８】
具体的には、突起部８７ａは、脚部８６ａ、８６ｃ間に設けられ、以下同様に、突起部８７ｂは、脚部８６ｃ、８６ｂ間、突起部８７ｃは、脚部８６ｂ、８６ｄ間、突起部８７ｄは、脚部８６ｄ、８６ａ間に設けられている。
【０１２９】
脚部８６ａ、８６ｂ、８６ｃ、８６ｄは、それぞれ緩やかにねじれた形状を有する。
【０１３０】
又、突起部８７ａ、８７ｂ、８７ｃ、８７ｄは、それぞれ脚部８６ａ、８６ｂ、８６ｃ、８６ｄが伸びる方向と略並行となるように傾斜している。
【０１３１】
以上に示したように、弁体６９は、弁本体２１に接続され下方に延びると共に吐液部の内側寸法に応じた寸法関係に設定される脚部８６ａ、８６ｂ、８６ｃ、８６ｄを備える。
【０１３２】
脚部８６ａ、８６ｂ、８６ｃ、８６ｄは、それぞれ、ねじれ形状を有しており、偏向手段として機能する。
【０１３３】
これにより、弁本体２１付近における旋回流れの発生効果が向上する。
【０１３４】
尚、上記の各実施の形態では、特定の構成を有するボールタップについて説明したが、これに限られない。例えば、レバー機構が複式のものについて説明したが、これに限られず単式のものであってもよい。又、給液部は、筒形状を有し、その側方部分に給水管に接続される給液口が形成されると共に、その下方部分に弁座を介して排液口が形成される構成であったが、これに限られない。給液部において、側方部分以外の場所に給液口が形成されていてもよく、下方部分以外の場所に排液口が形成されていてもよい。
【０１３５】
又、上記の各実施の形態では、一対の脚部又は４つの脚部を備える構成であったが、これに限られない。脚部の数は、１つだけであってもよいし、任意の数に設定可能である。
【０１３６】
更に、上記の各実施の形態では、特定の形状を有する脚部や、防波板等により、弁本体の上方から下方にかけて通過する液体の流れを水平方向に偏向させていたが、これに限られない。このような偏向手段は、弁本体に沿って上方から下方にかけて通過する液体の流れを水平方向に偏向させるものであれば特に限定されない。
【０１３７】
更に、上記の各実施の形態では、第２の仮想平面が第１の仮想平面に直交する構成であったが、これに限られず、第２の仮想平面は、第１の仮想平面に交差する構成であってもよい。
【０１３８】
更に、上記の第５の実施の形態では、上方傾斜突出部及び下方傾斜突出部を備える構成であったが、これに限られず、少なくとも脚部の外方において斜めの切り込みが設けられているような構成であればよい。
【０１３９】
更に、上記の第７の実施の形態及び上記の第８の実施の形態では、防波板は特定の形状を有するものであったが、これに限られない。例えば、防波板の羽根部分の数は、上述の例に限られず任意に設定することができる。
【０１４０】
更に、上記の第８の実施の形態では、防波板は、ねじによって弁体の脚部の下方部分を連結する連結部に取り付けられていたがこれに限られない。取付方法は、リベットを用いたり、溶接したりしてもかまわない。
【０１４１】
更に、上記の各実施の形態では、特に説明しなかったが、ボールタップでは、水を吐出するようにしてもよいし、他の液体であっても良い。
【符号の説明】
【０１４２】
１…ボールタップ
１０…給液部
１１…給液口
１２…排液口
１７…液面
２０、６１〜６９…弁体
２１…弁本体
２２ａ、２２ｂ、２２ｃ、２２ｄ、７８ａ、７８ｂ、７８ｃ、７８ｄ、８６ａ、８６ｂ、８６ｃ、８６ｄ…脚部
２３…カバー部
２４…傾斜部
２５…側壁
２７…突出部
３０…吐液部
３１…吐出口
３２…弁座
４０…フロート機構
５０…レバー機構
７６…上方傾斜突出部
７７…下方傾斜突出部
８０、８２…防波板
８４…環状部
８５…溝部
８７…突起部
尚、各図中同一符号は同一又は相当部分を示す。
【図１】
2019044819.tif 000003
【図２】
2019044819.tif 000004
【図３】
2019044819.tif 000005
【図４】
2019044819.tif 000006
【図５】
2019044819.tif 000007
【図６】
2019044819.tif 000008
【図７】
2019044819.tif 000009
【図８】
2019044819.tif 000010
【図９】
2019044819.tif 000011
【図１０】
2019044819.tif 000012
【図１１】
2019044819.tif 000013
【図１２】
2019044819.tif 000014
【図１３】
2019044819.tif 000015
【図１４】
2019044819.tif 000016
【図１５】
2019044819.tif 000017
【図１６】
2019044819.tif 000018
【図１７】
2019044819.tif 000019
【図１８】
2019044819.tif 000020
【図１９】
2019044819.tif 000021
【図２０】
2019044819.tif 000022
【図２１】
2019044819.tif 000023
【図２２】
2019044819.tif 000024
【図２３】
2019044819.tif 000025
【図２４】
2019044819.tif 000026
【図２５】
2019044819.tif 000027
【図２６】
2019044819.tif 000028
【図２７】
2019044819.tif 000029
【手続補正書】
【提出日】平成30年3月16日(2018.3.16)
【手続補正１】
【補正対象書類名】明細書
【補正対象項目名】００２０
【補正方法】削除
【補正の内容】
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】変更
【補正の内容】
【００２６】
上記の目的を達成するために、請求項１記載の発明は、ボールタップであって、その上流部分に給液口が形成されると共に、その下流部分に排液口が形成される給液部と、排液口の下方に配置される弁体と、排液口を囲うように給液部に接続され、弁体を収納し、その下方部分に吐出口が形成される吐液部と、液面の上下変動を伝えるフロート機構と、フロート機構に接続され、液面の上下変動に応じて弁体による排液口の開閉を制御するレバー機構とを備え、弁体は、排液口を開閉するように構成される弁本体と、排液口から吐出口にかけて通過する液体の流れを水平方向に偏向させる偏向手段とを有し、偏向手段は、板状に形成され、弁本体に接続されると共に下方に延びる脚部を含み、脚部は、その上方において垂直に延びる部分を有する一方で、その下方において弁体の中心軸からみて周方向に傾斜した傾斜部を有し、脚部は、一対設けられ、一対の脚部は、それぞれ、平面視における弁体の中心を含む垂直方向の第１の仮想平面上に整列するように対向して配置されると共に吐液部の内側寸法に応じた寸法関係に設定され、傾斜部は、周方向の一方方向側に傾斜し、更に、一対の脚部の間において、平面視における弁体の中心を含み第１の仮想平面に交差する第２の仮想平面の水平形成方向に伸びるように設けられ、レバー機構を覆うカバー部を備えるものである。
【手続補正８】
【補正対象書類名】明細書
【補正対象項目名】００２７
【補正方法】変更
【補正の内容】
【００２７】
このように構成すると、吐出される液体による液面の波打ちが抑制される。又、傾斜部によって液体の流れが偏向される。更に、一対の脚部のそれぞれの傾斜部によって液体の流れが互いに逆向きに偏向される。更に、吐液時にレバー機構に衝突して液体が飛散することを抑制できる。
【手続補正９】
【補正対象書類名】明細書
【補正対象項目名】００２８
【補正方法】変更
【補正の内容】
【００２８】
請求項２記載の発明は、請求項１記載の発明の構成において、カバー部は、第１の仮想平面で分けられた領域の一方側に形成される第１の部分と、第１の仮想平面で分けられた領域の他方側に形成される第２の部分とから構成され、第１の部分は、一方方向側に第１側壁を有し、第２の部分は、一方方向側に第２側壁を有し、偏向手段は、第１の部分が有する第１側壁の下方において一方方向側に突出するように設けられる第１突出部と、第２の部分が有する第２側壁の下方において一方方向側に突出するように設けられる第２突出部とを含むものである。
【手続補正１０】
【補正対象書類名】明細書
【補正対象項目名】００３０
【補正方法】変更
【補正の内容】
【００３０】
請求項３記載の発明は、ボールタップであって、その上流部分に給液口が形成されると共に、その下流部分に排液口が形成される給液部と、排液口の下方に配置される弁体と、排液口を囲うように給液部に接続され、弁体を収納し、その下方部分に吐出口が形成される吐液部と、液面の上下変動を伝えるフロート機構と、フロート機構に接続され、液面の上下変動に応じて弁体による排液口の開閉を制御するレバー機構とを備え、弁体は、排液口を開閉するように構成される弁本体と、排液口から吐出口にかけて通過する液体の流れを水平方向に偏向させる偏向手段とを有し、偏向手段は、弁本体に接続され下方に延びると共に吐液部の内側寸法に応じた寸法関係に設定される脚部を含み、脚部は、平面視における弁体の中心軸から離れる方向における外方端において弁体の中心軸からみて周方向の一方方向側に傾斜する斜めの切り込みが設けられているものである。
【手続補正１１】
【補正対象書類名】明細書
【補正対象項目名】００３１
【補正方法】変更
【補正の内容】
【００３１】
このように構成すると、吐出される液体による液面の波打ちが抑制される。又、脚部の外方端の切り込みにより液体の流れが偏向される。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
請求項４記載の発明は、ボールタップの下方に設けられる吐出口側において上下に移動自在に収納され、液面の上下変動に応じてボールタップの弁座との係合状態が変化し、供給する液体の量を調節するための弁体であって、弁本体と、弁本体に沿って上方から下方にかけて通過する液体の流れを水平方向に偏向させる偏向手段とを有し、偏向手段は、板状に形成され、弁本体に接続されると共に下方に延びる脚部を含み、脚部は、その上方において垂直に延びる部分を有する一方で、その下方において弁本体の中心軸からみて周方向に傾斜した傾斜部を有し、脚部は、一対設けられ、一対の脚部は、それぞれ、平面視における弁本体の中心を含む垂直方向の第１の仮想平面上に整列するように対向して配置されると共に吐液部の内側寸法に応じた寸法関係に設定され、傾斜部は、周方向の一方方向側に傾斜し、更に、一対の脚部の間において、平面視における弁本体の中心を含み第１の仮想平面に交差する第２の仮想平面の水平形成方向に伸びるように設けられ、レバー機構を覆うカバー部を備えるものである。
【手続補正１５】
【補正対象書類名】明細書
【補正対象項目名】００３５
【補正方法】変更
【補正の内容】
【００３５】
このように構成すると、ボールタップに組み込まれた際、吐出される液体による液面の波打ちが抑制される。又、傾斜部によって液体の流れが偏向される。更に、一対の脚部のそれぞれの傾斜部によって液体の流れが互いに逆向きに偏向される。更に、吐液時にレバー機構に衝突して液体が飛散することを抑制できる。
請求項５記載の発明は、ボールタップの下方に設けられる吐出口側において上下に移動自在に収納され、液面の上下変動に応じてボールタップの弁座との係合状態が変化し、供給する液体の量を調節するための弁体であって、弁本体と、弁本体に沿って上方から下方にかけて通過する液体の流れを水平方向に偏向させる偏向手段とを有し、偏向手段は、弁本体に接続され下方に延びると共に吐液部の内側寸法に応じた寸法関係に設定される脚部を含み、脚部は、平面視における弁本体の中心軸から離れる方向における外方端において弁本体の中心軸からみて周方向の一方方向側に傾斜する斜めの切り込みが設けられているものである。
このように構成すると、ボールタップに組み込まれた際、吐出される液体による液面の波打ちが抑制される。又、脚部の外方端の切り込みにより液体の流れが偏向される。
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】変更
【補正の内容】
【００３９】
以上説明したように、請求項１記載の発明は、吐出される液体による液面の波打ちが抑制されるので、弁体の開閉動作が安定し、液面制御の信頼性が向上する。又、傾斜部によって液体の流れが偏向されるので、傾斜部の傾斜度合に応じて波打ちの抑制効果を調整できる。更に、一対の脚部のそれぞれの傾斜部によって液体の流れが互いに逆向きに偏向されるので、波打ちの抑制効果がより向上する。更に、吐液時にレバー機構に衝突して液体が飛散することを抑制できるので、波打ちの抑制効果がより向上する。
【手続補正２０】
【補正対象書類名】明細書
【補正対象項目名】００４０
【補正方法】変更
【補正の内容】
【００４０】
請求項２記載の発明は、請求項１記載の発明の効果に加えて、吐液時にレバー機構の側面に液体が衝突することを防ぐと共に第１突出部及び第２突出部によって液体が偏向されるので、吐液時におけるレバー機構の安定性が向上すると共に、波打ちの抑制効果が更に向上する。
【手続補正２１】
【補正対象書類名】明細書
【補正対象項目名】００４１
【補正方法】変更
【補正の内容】
【００４１】
請求項３記載の発明は、吐出される液体による液面の波打ちが抑制されるので、弁体の開閉動作が安定し、液面制御の信頼性が向上する。又、脚部の外方端の切り込みにより液体の流れが偏向されるので、波打ちの抑制効果を調整できる。
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】変更
【補正の内容】
【００４３】
請求項４記載の発明は、ボールタップに組み込まれた際、吐出される液体による液面の波打ちが抑制されるので、弁体の開閉動作が安定し、液面制御の信頼性が向上する。又、傾斜部によって液体の流れが偏向されるので、傾斜部の傾斜度合に応じて波打ちの抑制効果を調整できる。更に、一対の脚部のそれぞれの傾斜部によって液体の流れが互いに逆向きに偏向されるので、波打ちの抑制効果がより向上する。更に、吐液時にレバー機構に衝突して液体が飛散することを抑制できるので、波打ちの抑制効果がより向上する。
請求項５記載の発明は、ボールタップに組み込まれた際、吐出される液体による液面の波打ちが抑制されるので、弁体の開閉動作が安定し、液面制御の信頼性が向上する。又、脚部の外方端の切り込みにより液体の流れが偏向されるので、波打ちの抑制効果を調整できる。
【手続補正２４】
【補正対象書類名】特許請求の範囲
【補正対象項目名】全文
【補正方法】変更
【補正の内容】
【特許請求の範囲】
【請求項１】
ボールタップであって、
その上流部分に給液口が形成されると共に、その下流部分に排液口が形成される給液部と、
前記排液口の下方に配置される弁体と、
前記排液口を囲うように前記給液部に接続され、前記弁体を収納し、その下方部分に吐出口が形成される吐液部と、
液面の上下変動を伝えるフロート機構と、
前記フロート機構に接続され、液面の上下変動に応じて前記弁体による前記排液口の開閉を制御するレバー機構とを備え、
前記弁体は、前記排液口を開閉するように構成される弁本体と、前記排液口から前記吐出口にかけて通過する液体の流れを水平方向に偏向させる偏向手段とを有し、
前記偏向手段は、板状に形成され、前記弁本体に接続されると共に下方に延びる脚部を含み、
前記脚部は、その上方において垂直に延びる部分を有する一方で、その下方において前記弁体の中心軸からみて周方向に傾斜した傾斜部を有し、
前記脚部は、一対設けられ、
一対の前記脚部は、それぞれ、平面視における前記弁体の中心を含む垂直方向の第１の仮想平面上に整列するように対向して配置されると共に前記吐液部の内側寸法に応じた寸法関係に設定され、
前記傾斜部は、前記周方向の一方方向側に傾斜し、
更に、一対の前記脚部の間において、平面視における前記弁体の中心を含み前記第１の仮想平面に交差する第２の仮想平面の水平形成方向に伸びるように設けられ、前記レバー機構を覆うカバー部を備える、ボールタップ。
【請求項２】
前記カバー部は、前記第１の仮想平面で分けられた領域の一方側に形成される第１の部分と、前記第１の仮想平面で分けられた領域の他方側に形成される第２の部分とから構成され、
前記第１の部分は、前記一方方向側に第１側壁を有し、
前記第２の部分は、前記一方方向側に第２側壁を有し、
前記偏向手段は、前記第１の部分が有する前記第１側壁の下方において前記一方方向側に突出するように設けられる第１突出部と、
前記第２の部分が有する前記第２側壁の下方において前記一方方向側に突出するように設けられる第２突出部とを含む、請求項１記載のボールタップ。
【請求項３】
ボールタップであって、
その上流部分に給液口が形成されると共に、その下流部分に排液口が形成される給液部と、
前記排液口の下方に配置される弁体と、
前記排液口を囲うように前記給液部に接続され、前記弁体を収納し、その下方部分に吐出口が形成される吐液部と、
液面の上下変動を伝えるフロート機構と、
前記フロート機構に接続され、液面の上下変動に応じて前記弁体による前記排液口の開閉を制御するレバー機構とを備え、
前記弁体は、前記排液口を開閉するように構成される弁本体と、前記排液口から前記吐出口にかけて通過する液体の流れを水平方向に偏向させる偏向手段とを有し、
前記偏向手段は、前記弁本体に接続され下方に延びると共に前記吐液部の内側寸法に応じた寸法関係に設定される脚部を含み、
前記脚部は、平面視における前記弁体の中心軸から離れる方向における外方端において前記弁体の中心軸からみて周方向の一方方向側に傾斜する斜めの切り込みが設けられている、ボールタップ。
【請求項４】
ボールタップの下方に設けられる吐出口側において上下に移動自在に収納され、液面の上下変動に応じて前記ボールタップの弁座との係合状態が変化し、供給する液体の量を調節するための弁体であって、
前記弁本体と、
前記弁本体に沿って上方から下方にかけて通過する前記液体の流れを水平方向に偏向させる偏向手段とを有し、
前記偏向手段は、板状に形成され、前記弁本体に接続されると共に下方に延びる脚部を含み、
前記脚部は、その上方において垂直に延びる部分を有する一方で、その下方において前記弁本体の中心軸からみて周方向に傾斜した傾斜部を有し、
前記脚部は、一対設けられ、
一対の前記脚部は、それぞれ、平面視における前記弁本体の中心を含む垂直方向の第１の仮想平面上に整列するように対向して配置されると共に前記吐液部の内側寸法に応じた寸法関係に設定され、
前記傾斜部は、前記周方向の一方方向側に傾斜し、
更に、一対の前記脚部の間において、平面視における前記弁本体の中心を含み前記第１の仮想平面に交差する第２の仮想平面の水平形成方向に伸びるように設けられ、前記レバー機構を覆うカバー部を備える、弁体。
【請求項５】
ボールタップの下方に設けられる吐出口側において上下に移動自在に収納され、液面の上下変動に応じて前記ボールタップの弁座との係合状態が変化し、供給する液体の量を調節するための弁体であって、
前記弁本体と、
前記弁本体に沿って上方から下方にかけて通過する前記液体の流れを水平方向に偏向させる偏向手段とを有し、
前記偏向手段は、前記弁本体に接続され下方に延びると共に前記吐液部の内側寸法に応じた寸法関係に設定される脚部を含み、
前記脚部は、平面視における前記弁本体の中心軸から離れる方向における外方端において前記弁本体の中心軸からみて周方向の一方方向側に傾斜する斜めの切り込みが設けられている、弁体。
【手続補正書】
【提出日】平成30年5月31日(2018.5.31)
【手続補正１】
【補正対象書類名】明細書
【補正対象項目名】００３４
【補正方法】変更
【補正の内容】
【００３４】
請求項４記載の発明は、ボールタップの下方に設けられ、その下方部分に吐出口が形成される吐液部において上下に移動自在に収納され、液面の上下変動に応じてボールタップの弁座との係合状態が変化し、供給する液体の量を調節するための弁体であって、弁本体と、弁本体に沿って上方から下方にかけて通過する液体の流れを水平方向に偏向させる偏向手段とを有し、偏向手段は、板状に形成され、弁本体に接続されると共に下方に延びる脚部を含み、脚部は、その上方において垂直に延びる部分を有する一方で、その下方において弁本体の中心軸からみて周方向に傾斜した傾斜部を有し、脚部は、一対設けられ、一対の脚部は、それぞれ、平面視における弁本体の中心を含む垂直方向の第１の仮想平面上に整列するように対向して配置されると共に吐液部の内側寸法に応じた寸法関係に設定され、傾斜部は、周方向の一方方向側に傾斜し、更に、一対の脚部の間において、平面視における弁本体の中心を含み第１の仮想平面に交差する第２の仮想平面の水平形成方向に伸びるように設けられ、ボールタップのフロート機構に接続され、液面の上下変動に応じて弁座との係合状態を制御するレバー機構を覆うカバー部を備えるものである。
【手続補正２】
【補正対象書類名】明細書
【補正対象項目名】００３５
【補正方法】変更
【補正の内容】
【００３５】
このように構成すると、ボールタップに組み込まれた際、吐出される液体による液面の波打ちが抑制される。又、傾斜部によって液体の流れが偏向される。更に、一対の脚部のそれぞれの傾斜部によって液体の流れが互いに逆向きに偏向される。更に、吐液時にレバー機構に衝突して液体が飛散することを抑制できる。
請求項５記載の発明は、ボールタップの下方に設けられ、その下方部分に吐出口が形成される吐液部において上下に移動自在に収納され、液面の上下変動に応じてボールタップの弁座との係合状態が変化し、供給する液体の量を調節するための弁体であって、弁本体と、弁本体に沿って上方から下方にかけて通過する液体の流れを水平方向に偏向させる偏向手段とを有し、偏向手段は、弁本体に接続され下方に延びると共に吐液部の内側寸法に応じた寸法関係に設定される脚部を含み、脚部は、平面視における弁本体の中心軸から離れる方向における外方端において弁本体の中心軸からみて周方向の一方方向側に傾斜する斜めの切り込みが設けられているものである。
このように構成すると、ボールタップに組み込まれた際、吐出される液体による液面の波打ちが抑制される。又、脚部の外方端の切り込みにより液体の流れが偏向される。
【手続補正３】
【補正対象書類名】特許請求の範囲
【補正対象項目名】全文
【補正方法】変更
【補正の内容】
【特許請求の範囲】
【請求項１】
ボールタップであって、
その上流部分に給液口が形成されると共に、その下流部分に排液口が形成される給液部と、
前記排液口の下方に配置される弁体と、
前記排液口を囲うように前記給液部に接続され、前記弁体を収納し、その下方部分に吐出口が形成される吐液部と、
液面の上下変動を伝えるフロート機構と、
前記フロート機構に接続され、液面の上下変動に応じて前記弁体による前記排液口の開閉を制御するレバー機構とを備え、
前記弁体は、前記排液口を開閉するように構成される弁本体と、前記排液口から前記吐出口にかけて通過する液体の流れを水平方向に偏向させる偏向手段とを有し、
前記偏向手段は、板状に形成され、前記弁本体に接続されると共に下方に延びる脚部を含み、
前記脚部は、その上方において垂直に延びる部分を有する一方で、その下方において前記弁体の中心軸からみて周方向に傾斜した傾斜部を有し、
前記脚部は、一対設けられ、
一対の前記脚部は、それぞれ、平面視における前記弁体の中心を含む垂直方向の第１の仮想平面上に整列するように対向して配置されると共に前記吐液部の内側寸法に応じた寸法関係に設定され、
前記傾斜部は、前記周方向の一方方向側に傾斜し、
更に、一対の前記脚部の間において、平面視における前記弁体の中心を含み前記第１の仮想平面に交差する第２の仮想平面の水平形成方向に伸びるように設けられ、前記レバー機構を覆うカバー部を備える、ボールタップ。
【請求項２】
前記カバー部は、前記第１の仮想平面で分けられた領域の一方側に形成される第１の部分と、前記第１の仮想平面で分けられた領域の他方側に形成される第２の部分とから構成され、
前記第１の部分は、前記一方方向側に第１側壁を有し、
前記第２の部分は、前記一方方向側に第２側壁を有し、
前記偏向手段は、前記第１の部分が有する前記第１側壁の下方において前記一方方向側に突出するように設けられる第１突出部と、
前記第２の部分が有する前記第２側壁の下方において前記一方方向側に突出するように設けられる第２突出部とを含む、請求項１記載のボールタップ。
【請求項３】
ボールタップであって、
その上流部分に給液口が形成されると共に、その下流部分に排液口が形成される給液部と、
前記排液口の下方に配置される弁体と、
前記排液口を囲うように前記給液部に接続され、前記弁体を収納し、その下方部分に吐出口が形成される吐液部と、
液面の上下変動を伝えるフロート機構と、
前記フロート機構に接続され、液面の上下変動に応じて前記弁体による前記排液口の開閉を制御するレバー機構とを備え、
前記弁体は、前記排液口を開閉するように構成される弁本体と、前記排液口から前記吐出口にかけて通過する液体の流れを水平方向に偏向させる偏向手段とを有し、
前記偏向手段は、前記弁本体に接続され下方に延びると共に前記吐液部の内側寸法に応じた寸法関係に設定される脚部を含み、
前記脚部は、平面視における前記弁体の中心軸から離れる方向における外方端において前記弁体の中心軸からみて周方向の一方方向側に傾斜する斜めの切り込みが設けられている、ボールタップ。
【請求項４】
ボールタップの下方に設けられ、その下方部分に吐出口が形成される吐液部において上下に移動自在に収納され、液面の上下変動に応じて前記ボールタップの弁座との係合状態が変化し、供給する液体の量を調節するための弁体であって、
弁本体と、
前記弁本体に沿って上方から下方にかけて通過する前記液体の流れを水平方向に偏向させる偏向手段とを有し、
前記偏向手段は、板状に形成され、前記弁本体に接続されると共に下方に延びる脚部を含み、
前記脚部は、その上方において垂直に延びる部分を有する一方で、その下方において前記弁本体の中心軸からみて周方向に傾斜した傾斜部を有し、
前記脚部は、一対設けられ、
一対の前記脚部は、それぞれ、平面視における前記弁本体の中心を含む垂直方向の第１の仮想平面上に整列するように対向して配置されると共に前記吐液部の内側寸法に応じた寸法関係に設定され、
前記傾斜部は、前記周方向の一方方向側に傾斜し、
更に、一対の前記脚部の間において、平面視における前記弁本体の中心を含み前記第１の仮想平面に交差する第２の仮想平面の水平形成方向に伸びるように設けられ、
前記ボールタップのフロート機構に接続され、液面の上下変動に応じて前記弁座との係合状態を制御するレバー機構を覆うカバー部を備える、弁体。
【請求項５】
ボールタップの下方に設けられ、その下方部分に吐出口が形成される吐液部において上下に移動自在に収納され、液面の上下変動に応じて前記ボールタップの弁座との係合状態が変化し、供給する液体の量を調節するための弁体であって、
弁本体と、
前記弁本体に沿って上方から下方にかけて通過する前記液体の流れを水平方向に偏向させる偏向手段とを有し、
前記偏向手段は、前記弁本体に接続され下方に延びると共に前記吐液部の内側寸法に応じた寸法関係に設定される脚部を含み、
前記脚部は、平面視における前記弁本体の中心軸から離れる方向における外方端において前記弁本体の中心軸からみて周方向の一方方向側に傾斜する斜めの切り込みが設けられている、弁体。